(57)【要約】【課題】  包装体の開封を簡単な構成で実現すること【解決手段】  包装体６は、４辺の対向する２辺が熱圧着によるシール線からなる第一封止部及び第二封止部２，３と、残りの２辺中の１辺が折れ線からなる第三封止部４とを備え、残りの１辺が開口した袋体を用いる。袋体の内部に包装対象物を収容した状態で、開口した辺を相互に接合させて第三封止部４と略直交するような角度で第四封止部５を形成して、第四封止部５を共通底辺とする一対の第一及び第二の三角形と、第三封止部４を共通底辺とする一対の第三及び第四の三角形を形成して、周方向に隣接する前記各三角形の斜辺同士が連結された四面体状の包装体６が形成される。この包装体６内には、包装対象物としてレタス，ほうれん草などの野菜が空気と共に封止される。第一，第二三角形の垂線上に位置する第一，第二封止部２，３の熱圧着シール線を引き裂き用の開封ガイドとする。【選択図】  図３
2007284144.tif 000002
【特許請求の範囲】
【請求項１】
対向する一対の２辺と、他の対向する２辺のうちの１辺とが第１〜第３封止部により閉止され、残りの１辺が開口した袋体内に包装対象物を収容した状態で、前記第３封止部と略直交する第４封止部を設けることで前記開口を封止して形成される四面立体形状の包装体において、
前記包装対象物をレタス，ほうれん草などの野菜とし、
前記第１および第２封止部を、前記包装体の引き裂き用開封ガイドとすることを特徴とする包装体。
【請求項２】
前記第１および第２封止部は、熱シール線からなることを特徴とする請求項１記載の包装体。
【請求項３】
前記包装体は、前記第４封止部を共通底辺とする第一，第ニ三角形と、前記第３封止部を共通底辺とする第三，第四三角形とを有し、周方向に隣接する前記各三角形の斜辺同士が連結された四面立方体形状に形成され、
前記第一，第二三角形の垂線上に前記第１，第２封止部を位置させることを特徴とする請求項１または２記載の包装体。
【発明の詳細な説明】
【技術分野】
【０００１】
本発明は、包装体に関し、特に、レタス，ほうれん草などの野菜を封入した場合に、簡単に開封することができる包装体に関するものである。
【背景技術】
【０００２】
一般に、多くの商品は、四角形状の袋に包装されており、袋の一辺を開封することに、その内容物を取り出すことができる。開封された袋は、依然として四角形状をしており、内容物が消尽されるまでは、包装材としての機能を果たしている。他方、一辺の方向がその対辺の方向とが直交する四面体状の包装材は、いわゆるテトラ状包装材として（商品名：テトラパック）として知られている。
【０００３】
包装材としては多くの特許出願がある。例えば、特許文献１には、開封用のミシン目に上方に突出する迂回部を設けて、開封後に迂回部を左右に開くことで、開口が容易にできる食品用包装袋が記載されている。また、特許文献２には、包装袋体の本体と蓋との間に粘着材を介在させて、開封を容易にする構造が記載されている。
【０００４】
一方、開封を容易にするものとしては、例えば、特許文献３には、定幅裂取り性の背張り部を設けた管状包装材が記載され、特許文献４には、引き裂き性のフィルムを異なるフイルムで、挟んで積層した、引き裂き性に優れた包装材が記載されている。しかしながら、これらの包装材には、以下に説明する技術的な課題があった。
【０００５】
【特許文献１】特開２００５−１３８８９９号公報
【特許文献２】特開２０００−２６４３４８号公報
【特許文献３】特開２０００−１５３８７１号公報
【特許文献４】特開９−３０５５９号公報
【発明の開示】
【発明が解決しようとする課題】
【０００６】
すなわち、上述した従来から公知の包装材は、開封を容易にするために、ミシン目に特別な形状を付加したり、包装袋体の本体と蓋との間に粘着材を介在させる、定幅裂取り性の背張り部を設ける、引き裂き性のフィルムを異なるフイルムで、挟んで積層する、といった特別の構成ないしは構造によりこれを確保していた。しかし、このような手段では、構成や構造が複雑になり、コストや手間がかかるという問題があった。
【０００７】
本発明は、このような状況の下でなされたもので、その目的とするところは、包装対象物を収容する過程で作成される、一端が開口した袋体を作製する際に必要となる封止部を、引き裂き用の開封ガイドとして使用することにより、特別な手段を講じることなく、開封が容易になり、かつ、野菜の包装に適した包装体を提供することにある。
【課題を解決するための手段】
【０００８】
上記目的を達成するために、本発明は、対向する一対の２辺と、他の対向する２辺のうちの１辺とが第１〜第３封止部により閉止され、残りの１辺が開口した袋体内に包装対象物を収容した状態で、前記第３封止部と略直交する第４封止部を設けることで前記開口を封止して形成される四面立体形状の包装体において、前記包装対象物をレタス，ほうれん草などの野菜とし、前記第１および第２封止部を、前記包装体の引き裂き用開封ガイドとした。
【０００９】
上記構成の包装体よれば、１辺が開口した袋体を形成する際に、対向する２辺に設けられた第１封止部及び第２封止部を、前記包装体の引き裂き用開封ガイドとするので、特別な手段を講じることなく、開封が容易に行える。
【００１０】
上記構成の包装体では、レタス，ほうれん草などの野菜が包装対象物であって、これを四面体状内に封入すると、四面体は、平行ないしは対向する面が存在しないので、外力が加えられた際に、箱状の包装体にこれらを封入した場合のように、外力がそのまま野菜に加えられることがなく、外力が分散して、野菜の損傷を少なくすることができる。
【００１１】
また、上記構成の包装体では、レタス，ほうれん草などの野菜が包装対象物であって、これを空気と共に四面体状の包装体内に封入しているので、隣接する野菜間や、表面の野菜と袋体の内面間に空気層が介在しているので、外力が加えられた場合に、これらの空気層がクッションとして機能し、これによっても野菜の損傷を少なくすることができる。
【００１２】
前記第１および第２封止部は、熱シール線から構成することができる。
前記包装体は、前記第４封止部を共通底辺とする第一，第ニ三角形と、前記第３封止部を共通底辺とする第三，第四三角形とを有し、周方向に隣接する前記各三角形の斜辺同士が連結された四面立方体形状に形成され、前記第一，第二三角形の垂線上に前記第１，第２封止部を位置させることができる。
【発明の効果】
【００１３】
本発明の包装体よれば、１辺が開口した袋体を形成する際に、対向する２辺に設けられた第１封止部及び第２封止部が、包装体の引き裂き用開封ガイドとなるので、特別な手段を講じることなく、包装体の開封を容易にする。
【発明を実施するための最良の形態】
【００１４】
以下に本発明を実施形態に基づいて説明する。しかし、これらに限定されるものではない。図１は、四角形状の袋体１を示している。袋体１は、辺ＡＢが開口し、他の辺は封止されている。通常は、Ａ−Ｂの開口部から内容物を投入し、その後Ａ−Ｂをシール封止して包装体とする。この際に本実施例では、Ａ−Ｂをそのまま封止するのではなく、角ＡとＢとを合わせて、辺Ａ−Ｂの方向と辺Ｃ−Ｄの方向が略直交するように接合し、この状態で封止する。これはいわゆるテトラ状の包装材として広く知られており、商品名としてテトラパックなどがある。辺Ａ−Ｃは第１封止部２であり、辺Ｂ−Ｄは第２封止部３であり、これらの封止部２，３は、熱シール線から形成されている。辺Ｃ−Ｄは第３封止部４であり、辺Ｃ−Ｄに略直交した角度で封止する部分が後述する第４封止部５になる。本実施例では、四角形状の包袋１を中心に説明するが、袋体１の形状は四角形に限ることはなく、台形でもよい。
【００１５】
図１において、辺Ａ−Ｃ、辺Ｂ−Ｄはそれぞれ、シール線からなる第１封止部、第２封止部２，３である。角Ａ、Ｂが上辺の両端隅部となる。また、第１封止部２と第２封止部３の熱シール線は、後述するように開封ガイドになる。角Ａ、Ｂを合わせて接合、封止した部分に切り欠き部、ミシン線、孔などの開口容易部を設け、更に、角Ｃ，Ｄ周辺に熱融着、補強剤などによる補強部を設けてもよい。
【００１６】
図２に示したように、辺Ａ−Ｂの方向と辺Ｃ−Ｄの方向が略直交するように、角Ａと角Ｂとを合わせて接合し開口部を封止する。この封止部は、第４封止部５となる。辺Ａ−Ｂの方向と辺Ｃ−Ｄの方向が略直交するように、角ＡとＢとを合わせて封止した状態では、辺Ａ−Ｂの中心点であるＨ、Ｈ’（対面側）が角となり、元の角Ａと元の角Ｂ（対面側）とが辺Ｈ−Ｈ’の中心点となる。この辺Ｈ−Ｈ’から下方の角Ｄに向かって帯１３を設け、帯１３の下部である辺Ｇ−Ｇ’をシール封止することもできる。
【００１７】
図２において、Ｊは帯１３の下部の中間点であり、Ｊ’は対面側の帯１３の下部の中間点である。その結果、辺Ａ−Ｂは辺Ｃ−Ｄに対して略直交する状態になり、四面体状の包装体となる。即ち、第４封止部５である辺Ｇ−Ｇ’を共通底辺とする一対の第一の三角形（ＧＧ’Ｃ）及び第二の三角形（ＧＧ’Ｄ）を形成するとともに、第３封止部４である辺Ｃ−Ｄを共通底辺とする一対の第三の三角形（ＣＤＧ）及び第四の三角形（ＣＤＧ’）を形成するとともに、周方向に隣接する各三角形斜辺同士が連結された四面体状の包装体となる。四面体状の包装体６の斜視図を図３に示した。
【００１８】
図２（ａ）は、もとのＡＢＤＣの面側から見た図であり、図２（ｂ）は、もとのＡＢＣＤの面から９０度回転したところから見た図である。包装体６は四面体構造をなしているので、外圧に対して抵抗力があり、袋体１を形成する材料として透明なものを使用すれば、内容物をよく見ることができる。袋体１の材料としては、樹脂フィルムや樹脂シートを使用することができる。樹脂としては、ポリエチレン、ポリプロピレンなどのポリオレフィン類、ポリエステル、ポリアミド、ポリカーボネート、ポリスチレン、ポリ塩化ビニール、ポリ塩化ビニリデン、エチレンとビニールアルコールの共重合体（商品名エバール他）等を使用することができる。また、必要に応じて２重、３重のラミネートとすることもできる。更に、紫外線の透過率を小さくするため、紫外線吸収剤を添加した樹脂を使用することができる。
【００１９】
図３に示した四面体形状の包装体６では、袋体１を形成するために施した熱シール線である第１および第２封止部２，３は、第４封止部５を共通底辺ＧＧ’とする一対の第一の三角形（ＧＧ’Ｃ）及び第二の三角形（ＧＧ’Ｄ）の概略垂線上に位置することになる。この第１および第２封止部２，３は、包装体６の開封ガイドとなる。この開封ガイドに沿って開封し（引き裂い）てゆくと、図４に示したような舟形形状のものになる。舟形形状に展延されたものは、底の長さが２ｈで、高さ（深さ）が舟首、舟尾ではｔとなり、舟形の中央では舟形の広がりの程度により深さはｔよりも小さい舟形形状（皿形状）のものとなる。尚、ｈは図１に示したように包装袋の長さから帯１３の巾ｄを引いたもの、ｄは帯１３の巾、ｔは包装袋ＡＢＤＣの巾の二分の一の大きさである。帯１３の部分は、舟形の耳部となり舟形の形状保持に寄与するとともに、容器を把持するのに便利なものとなっている。ここに生じた舟形形状は、内容物をそのまま舟形の中に保持し、一種の容器としての機能を有している。この舟形は一種の食器、例えば、皿としての機能を有する。本実施例の場合、包装対象物は、既に洗浄され適当な大きさに切断されている野菜なので、包装を開封した後は、舟形の容器（皿）に野菜が保持されており、これに適当なドレッシングをかけて、舟形を皿代わりに使用して食することができる。
【００２０】
舟形において、もとの袋ＡＢＤＣＤの角Ｃ、Ｄは舟形の上部中央に位置するようになる。この部分は、そのままだと舟形の形状が不安定となる要因になるので、Ｃ、Ｄ周辺の部分には予め補強をしておくのが好ましい。即ち、図２（ａ）に符号１１、１２で示した補強部を設ける。本実施例の場合には、角Ｃ、Ｄ周辺に三角形状の補強部１１，１２を設けている。この補強部１１，１３は、ほぼ三角形の全面を融着してもよいし、図示したように、三角形の斜辺部１６、１７のみを融着してもよい。また、補強部１１、１２に、シートやフィルムの補強材を貼付することもできる。
【００２１】
本実施例の場合、包装対象物は、レタスやほうれん草のような野菜である。これらの野菜は、第４封止部５を形成することにより、包装体６内に空気と共に封止される。なお、四面体状の包装体６の中には、レタス、ほうれん草などの野菜と一緒にドレッシングを入れた小袋を同封したり、隔壁を設けて、包装体６を開封すると同時に野菜にそのドレッシングがかかるようにして食することもできる。
【００２２】
さて、以上のように構成した包装体６では、１辺が開口した袋体１を形成する際に、４辺の対向する２辺が熱シール線からなる第１封止部及び第２封止部２，３を形成するが、この封止部２，３は、第４封止部５を形成して四面体状に形成すると、二つの第一，第二三角形（ＧＧ’Ｃ），（ＧＧ’Ｄ）の垂線上に位置することになり、その結果、これらの熱シール線を引き裂き用の開封ガイドとすることができる。つまり、本実施例の場合には、袋体１を形成する際に必要となる第１および第２封止部２，３を利用することにより、特別な手段を講じることなく、包装体６の開封が容易に行えることになる。
【００２３】
また、本実施例の包装体６では、レタス，ほうれん草などの野菜が包装対象物であって、これを四面体状内に封入すると、四面体は、平行ないしは対向する面が存在しないので、外力が加えられた際に、外力が分散して、箱状の包装体にこれらを封入した場合のように、外力がそのまま野菜に加えられることがなく、野菜の損傷を少なくすることができる。
【００２４】
また、本実施例の包装体６では、レタス，ほうれん草などの野菜が包装対象物であって、これを空気と共に四面体状の包装体６内に封入しているので、隣接する野菜間や、表面の野菜と袋体１の内面間に空気層が介在しているので、外力が加えられた場合に、これらの空気層がクッションとして機能し、これによっても野菜の損傷を少なくすることができる。
【産業上の利用可能性】
【００２５】
本発明の包装体は、袋体を形成する際に必要となる封止部を利用することにより、特別な手段を講じることなく、包装体の開封が容易に行えることになり、手間やコストの低減化が図れ、包装体としての価値を一段と高め、産業界で広く使用されるものである。
【図面の簡単な説明】
【００２６】
【図１】本発明の包装体に用いる袋体の一例を示す図である。
【図２】本発明の包装体の異なる２方向の側面図である。
【図３】本発明の包装体の斜視図である。
【図４】本発明の包装体を開封した状態の説明図である。
【図５】本発明の実施形態を示す説明図である。
【符号の説明】
【００２７】
１          袋体
２          第１封止部
３          第２封止部
４          第３封止部
５          第４封止部
６          包装体
１１、１２            補強部
１３                  帯
１４                  切り込み
１６、１７            斜面
【図１】
2007284144.tif 000003
【図２】
2007284144.tif 000004
【図３】
2007284144.tif 000005
【図４】
2007284144.tif 000006
【図５】
2007284144.tif 000007